(57)【要約】【課題】機器チェック作業に要した時間が適切かを判断可能にする技術を提供する。【解決手段】作業者端末１００と、作業者端末１００とネットワークを介して接続される作業進捗管理システム２００と、作業進捗管理システム２００とネットワークを介して接続される管理者端末３００とを有する機器チェック支援システムであって、作業進捗管理システム２００は、作業された時間である作業時間と、作業に要する標準的な時間である標準作業時間とを含む作業進捗確認画面を管理者端末３００のディスプレイに表示させる作業進捗表示部２４０を有する。【選択図】図１
2016212729.tif 000002
【特許請求の範囲】
【請求項１】
作業者端末と、前記作業者端末とネットワークを介して接続される作業進捗管理システムと、前記作業進捗管理システムとネットワークを介して接続される管理者端末とを有する機器チェック支援システムであって、
前記作業進捗管理システムは、作業された時間である作業時間と、作業に要する標準的な時間である標準作業時間とを含む作業進捗確認画面を前記管理者端末のディスプレイに表示させる作業進捗表示部を有する、
機器チェック支援システム。
【請求項２】
請求項１に記載の機器チェック支援システムにおいて、
前記作業進捗表示部は、前記標準作業時間よりも所定時間以上長い前記作業時間または前記標準作業時間よりも所定時間以上短い前記作業時間と、前記標準作業時間または他の作業時間とを判別可能な態様で前記ディスプレイに表示させる、
機器チェック支援システム。
【請求項３】
請求項１に記載の機器チェック支援システムにおいて、
前記作業進捗表示部は、作業が開始される予定日時である開始予定日時を経過しても開始していない作業の作業名と、作業の進捗状態を示すステータスと、前記標準作業時間と、前記開始予定日時と、作業が終了する予定日時である終了予定日時と、作業者名との少なくとも一つ以上の表示態様を変化させて前記ディスプレイに表示させる、
機器チェック支援システム。
【請求項４】
請求項１に記載の機器チェック支援システムにおいて、
前記作業時間に基づいて、更新後の前記標準作業時間を算出する標準作業時間算出部をさらに有する、機器チェック支援システム。
【請求項５】
請求項１に記載の機器チェック支援システムにおいて、
前記作業進捗管理システムは、作業を構成するチェック項目をチェックした結果が正常か否かを示す情報の入力を受け付けるチェック画面を前記作業者端末のディスプレイに表示させる作業情報表示部をさらに有する、機器チェック支援システム。
【請求項６】
請求項５に記載の機器チェック支援システムにおいて、
前記作業進捗表示部は、チェックされた結果が正常であることが確認された前記チェック項目の数と、チェックされた結果が異常であることが確認された前記チェック項目の数とを含む作業審査画面を前記管理者端末のディスプレイに表示させる、機器チェック支援システム。
【請求項７】
請求項５に記載の機器チェック支援システムにおいて、
前記作業情報表示部は、前記管理者端末からフィードバックされたメッセージを含むチェック画面を前記ディスプレイに表示させる、機器チェック支援システム。
【請求項８】
請求項５に記載の機器チェック支援システムにおいて、
前記作業者端末は、前記チェック画面を介して入力を受け付けた前記情報を前記作業進捗管理システムに送信し、
前記作業進捗管理システムは、前記チェック項目を識別するためチェック項目ＩＤと、前記作業者端末から送信された前記情報とを対応付けて作業結果記憶部に記憶する、
機器チェック支援システム。
【請求項９】
作業者端末と、前記作業者端末とネットワークを介して接続される作業進捗管理システムと、前記作業進捗管理システムとネットワークを介して接続される管理者端末とを有する機器チェック支援システムにおける作業進捗確認方法であって、
前記作業進捗管理システムの作業進捗表示部が、作業された時間である作業時間と、作業に要する標準的な時間である標準作業時間とを含む作業進捗確認画面を前記管理者端末のディスプレイに表示させる作業進捗確認画面表示ステップを有する、
作業進捗確認方法。
【請求項１０】
作業進捗を確認させるための画面を管理者端末のディスプレイに表示させる作業進捗表示部を有する作業進捗管理システムのコンピュータに実行させる作業進捗確認プログラムであって、
前記作業進捗表示部が、作業された時間である作業時間と、作業に要する標準的な時間である標準作業時間とを含む作業進捗確認画面を前記管理者端末のディスプレイに表示させる、作業進捗確認画面表示ステップを前記コンピュータに実行させる、
作業進捗確認プログラム。
【発明の詳細な説明】
【技術分野】
【０００１】
本発明は、機器チェック支援システムおよび作業進捗確認方法ならびに作業進捗確認プログラムに関する。
【背景技術】
【０００２】
顧客から預かった各機器（例えば、サーバやサーバの周辺機器）をデータセンタの各ラックに収容して運用を管理することが行われている。また、ラックに収容された各機器をチェックリストに基づきチェックする作業（以下、単に機器チェック作業と呼ぶ場合がある）が定期的に行われている。機器チェック作業では、担当者は、ラックの扉を開けた後に、例えば、各機器に設けられた光源（例えば、ＬＥＤランプ）を目視し光源色を確認することで、各機器に障害が発生したかを判定する。また、各担当者は、各機器をチェックした結果をチェックリストに書き込んでいる。また、各担当者の上司などの審査者が、担当者により提出される膨大な量のチェックリストをチェックし、審査することが行われている。
【０００３】
特開２０１２−５４７５５号公報には、「作業管理用のサーバは、作業チェックリストを格納する作業手順ＤＢと、作業実施済みの作業チェックリストを格納する作業実績ＤＢと、端末からの作業条件指定に基づいて作業チェックリストを生成して端末に送信すると共に、作業実績ＤＢに登録する作業チェックリスト組立て処理部と、端末から要求に応じて、組立て済みの作業チェックリストにアクセスし、作業済みチェック及び完了確認の入力処理を行う作業状況入力処理部と、端末から送信される作業実施済み情報を含む作業チェックリストを受信して、作業実績ＤＢに登録する作業実績登録処理部を有し、作業チェックリスト組立て処理部は、前作業の作業結果から後続作業の作業チェックリストを自動生成する」技術が開示されている。
【先行技術文献】
【特許文献】
【０００４】
【特許文献１】特開２０１２−５４７５５号公報
【発明の概要】
【発明が解決しようとする課題】
【０００５】
特許文献１に開示されている技術では、作業実績ＤＢに機器チェック作業の実施時間を登録できる。しかし、登録される実施時間を確認しても、機器チェック作業の結果を審査する審査者は、機器チェック作業に要した時間が適切かを判断できないことがあった。
【０００６】
本発明の目的は、機器チェック作業に要した時間が適切かを判断可能にする技術を提供することである。
【課題を解決するための手段】
【０００７】
本願において開示される発明のうち、代表的なものの概要を簡単に説明すれば、次の通りである。
【０００８】
本発明の一実施の形態の機器チェック支援システムは、作業者端末と、前記作業者端末とネットワークを介して接続される作業進捗管理システムと、前記作業進捗管理システムとネットワークを介して接続される管理者端末とを有する機器チェック支援システムであって、前記作業進捗管理システムは、作業された時間である作業時間と、作業に要する標準的な時間である標準作業時間とを含む作業進捗確認画面を前記管理者端末のディスプレイに表示させる作業進捗表示部を有する。
【０００９】
また、本発明の一実施の形態の作業進捗確認方法は、作業者端末と、前記作業者端末とネットワークを介して接続される作業進捗管理システムと、前記作業進捗管理システムとネットワークを介して接続される管理者端末とを有する機器チェック支援システムにおける作業進捗確認方法であって、前記作業進捗管理システムの作業進捗表示部が、作業された時間である作業時間と、作業に要する標準的な時間である標準作業時間とを含む作業進捗確認画面を前記管理者端末のディスプレイに表示させる作業進捗確認画面表示ステップを有する。
【００１０】
また、本発明の一実施の形態の作業進捗確認プログラムは、作業進捗を確認させるための画面を管理者端末のディスプレイに表示させる作業進捗表示部を有する作業進捗管理システムのコンピュータに実行させる作業進捗確認プログラムであって、前記作業進捗表示部が、作業された時間である作業時間と、作業に要する標準的な時間である標準作業時間とを含む作業進捗確認画面を前記管理者端末のディスプレイに表示させる、作業進捗確認画面表示ステップを前記コンピュータに実行させる。
【発明の効果】
【００１１】
本願において開示される発明のうち、代表的なものによって得られる効果を簡単に説明すれば以下のとおりである。
【００１２】
本発明の代表的な実施の形態によれば、機器チェック作業に要した時間が適切かを判断できる。
【図面の簡単な説明】
【００１３】
【図１】本発明の一実施の形態における機器チェック支援システムの構成例の概要を示す図である。
【図２】本発明の一実施の形態における作業進捗管理システムの作業情報記憶部に記憶されている作業情報テーブルの構成例の概要を示す図である。
【図３】本発明の一実施の形態における作業進捗管理システムの作業情報記憶部に記憶されているチェックリストテーブルの構成例の概要を示す図である。
【図４】本発明の一実施の形態における作業進捗管理システムの作業結果記憶部に記憶されている作業結果テーブルの構成例の概要を示す図である。
【図５】本発明の一実施の形態における作業進捗管理システムの作業結果記憶部に記憶されているチェック結果テーブルの構成例の概要を示す図である。
【図６】本発明の一実施の形態における作業進捗管理システムのメッセージ記憶部に記憶されているメッセージテーブルの構成例の概要を示す図である。
【図７】本発明の一実施の形態における作業者端末のディスプレイに表示されるチェック画面の概要を示す図である。
【図８】本発明の一実施の形態における管理者端末のディスプレイに表示される作業進捗確認画面の概要を示す図である。
【図９】本発明の一実施の形態における管理者端末のディスプレイに表示される作業審査画面の概要を示す図である。
【図１０】本発明の一実施の形態における管理者端末のディスプレイに表示されるメッセージ入力画面の概要を示す図である。
【図１１】本発明の一実施の形態における作業結果記憶処理の概要を示す図である。
【図１２】本発明の一実施の形態におけるフィードバックメッセージ記憶処理の概要を示す図である。
【発明を実施するための形態】
【００１４】
以下、本発明の実施の形態を図面に基づいて詳細に説明する。なお、実施の形態を説明するための全図において、同一部には原則として同一の符号を付し、その繰り返しの説明は省略する。
【００１５】
＜システム構成＞
図１は、本発明の一実施の形態における機器チェック支援システム１０の構成例の概要を示す図である。
【００１６】
図１に示されるように、機器チェック支援システム１０は、作業者端末（タブレット端末など）１００と、作業者端末１００とネットワークを介して接続される作業進捗管理システム２００と、作業進捗管理システム２００とネットワークを介して接続される管理者端末３００とを有する。例えば、作業者端末１００と作業進捗管理システム２００とは無線通信を介して接続され、作業進捗管理システム２００と管理者端末３００とは有線通信を介して接続される。なお、作業進捗管理システム２００と管理者端末３００とが無線通信を介して接続されるようにしても良い。
【００１７】
また、作業者端末１００、作業進捗管理システム２００、管理者端末３００は、所定のハードウェアおよびソフトウェアにより実装される。例えば、作業者端末１００、作業進捗管理システム２００、管理者端末３００は、プロセッサやメモリなどを有するコンピュータにより構成され、プロセッサにより実行されるメモリ上のプログラムが、作業者端末１００、作業進捗管理システム２００、管理者端末３００としてコンピュータを機能させる。
【００１８】
作業者端末１００は、作業進捗管理システム２００との間で、無線通信を介して無線信号を送受信する。ここで、無線通信とは、既存の任意の無線通信規格・手段を採用することが可能であり、一例を挙げれば、Ｂｌｕｅｔｏｏｔｈ(登録商標)、無線ＬＡＮ規格、携帯電話網の３Ｇ回線、赤外線、Ｚｉｇｂｅｅ(登録商標)、アナログ方式無線通信などが挙げられる。
【００１９】
作業者端末１００のディスプレイ（不図示）は、画面表示を行うとともに、タッチパネルを介してユーザからの操作を受け付ける。そして、作業者端末１００は、タッチ操作を受け付けた位置と対応する処理を実行する。
【００２０】
作業者端末１００のディスプレイは、作業を構成するチェック項目をチェックした結果が正常か否かを示す情報の入力を受け付けるとともに、管理者（業者による機器チェック作業を審査する審査者または審査者による審査結果を承認する承認者）からフィードバックされたメッセージを含むチェック画面（後述、図７）を表示する。
【００２１】
機器チェック作業を行う作業者は、ディスプレイに表示される機器チェック画面を介して、メッセージを確認しながら、機器チェック作業の結果を示す作業結果情報（作業を構成するチェック項目をチェックした結果が正常か否かを示す情報など）を作業者端末１００へ入力する。その後、作業者端末１００は、逐次、入力された作業結果情報を作業進捗管理システム２００へ送信する。作業進捗管理システム２００へ送信された作業結果情報は、作業進捗管理システム２００により、作業結果記憶部２７０に記憶される。
【００２２】
また、作業者端末１００はカメラなどの撮影部（不図示）を有する。撮影部は、例えば、機器チェック作業が完了した後に被写体を撮影する。これによって、作業証跡を残すことができる。
【００２３】
作業進捗管理システム２００は、作業情報表示部２１０と、作業結果登録部２２０と、標準作業時間算出部２３０と、作業進捗表示部２４０と、メッセージ生成部２５０と、作業情報記憶部２６０と、作業結果記憶部２７０と、メッセージ記憶部２８０とを有する。
【００２４】
作業情報表示部２１０は、チェック画面を作業者端末１００のディスプレイに表示させる。
【００２５】
作業進捗表示部２４０は、作業された時間である作業時間と、作業に要する標準的な時間である標準作業時間とを含む作業進捗確認画面（後述、図８）を、機器チェック作業の進捗状況を確認などをするための管理者端末３００のディスプレイに表示させる。また、作業進捗表示部２４０は、標準作業時間よりも所定時間（例えば、５分）以上、長い作業時間または標準作業時間よりも所定時間（例えば、５分）以上短い作業時間と、標準作業時間とを判別可能な態様で作業進捗確認画面を管理者端末３００のディスプレイに表示させる。また、作業進捗表示部２４０は、作業が開始される予定日時である開始予定日時を経過しても開始していない作業の作業名と、作業の進捗状態を示すステータスと、標準作業時間と、開始予定日時と、作業が終了する予定日時である終了予定日時と、作業者名との少なくとも一つ以上の表示態様を変化させて作業進捗確認画面を管理者端末３００のディスプレイに表示させる。
【００２６】
作業進捗表示部２４０は、チェックされた結果が正常であることが確認されたチェック項目の数と、チェックされた結果が異常であることが確認されたチェック項目の数とを含む作業審査画面（後述、図９）を管理者端末３００のディスプレイに表示させる。
【００２７】
また、作業進捗表示部２４０は、作業者端末１００へ送信するメッセージの入力を受け付けるメッセージ入力画面（後述、図１０）を管理者端末３００のディスプレイに表示させる。
【００２８】
標準作業時間算出部２３０は、新たな作業時間が作業者端末１００から送信される度に、これまでに蓄積されている作業時間に基づいて、更新後の標準作業時間を算出する。例えば、標準作業時間算出部２３０は、チェック項目ごとに作業時間の統計を取ることで標準作業時間を算出する。具体的には、標準作業時間算出部２３０は、作業時間の平均値を標準作業時間として算出する。なお、標準作業時間算出部２３０は、定期的に、これまでに蓄積されている作業時間に基づいて、更新後の標準作業時間を算出しても良い。
【００２９】
作業情報記憶部２６０には、作業情報テーブル（後述、図２）と、チェックリストテーブル（後述、図３）とが記憶されている。
【００３０】
作業結果記憶部２７０には、作業結果テーブル（後述、図４）と、チェック結果テーブル（後述、図５）とが記憶されている。
【００３１】
メッセージ記憶部２８０には、メッセージテーブル（後述、図６）が記憶されている。
【００３２】
管理者端末３００のディスプレイは、作業進捗確認画面を表示する。管理者は、作業進捗確認画面を確認することで、機器チェック作業の進捗状況を確認できる。例えば、管理者は、作業が開始される予定日時である開始予定日時を経過しても開始していない機器チェック作業があることを、作業進捗確認画面を介して確認する。そして、管理者は、管理者端末３００のディスプレイに表示される画面を、作業進捗確認画面からメッセージ入力画面へと画面表示を切り替えさせる。そして、管理者は、メッセージ入力画面を介して、作業を速やかに開始する旨のメッセージを入力することで、作業者端末１００への注意喚起ができる。また、管理者が機器チェック作業の作業結果の詳細を確認したい場合は、管理者端末３００は、ディスプレイに表示される画面を作業進捗確認画面から作業審査画面へ切り替えるための入力を受け付ける。
【００３３】
その後、管理者端末３００のディスプレイは、作業結果の詳細についての情報を含む作業審査画面を表示する。管理者は、作業審査画面を確認することで、作業を構成するチェック項目をチェックした結果や、作業に要した時間などを確認できる。そして、管理者により作業審査画面に表示されている内容が確認された後に、管理者端末３００は、機器チェック作業を却下または承認する入力を受け付ける。また、管理者端末３００は、作業審査画面を介して管理者から機器チェック作業を行う上での注意事項であるメッセージの入力を受け付ける。作業審査画面を介して入力されたメッセージは、次回の機器チェック作業時に、作業者端末１００のディスプレイに表示されるチェック画面に含まれる。これによって、作業者が、管理者端末３００からフィードバックされている内容と同様の作業ミスを繰り返すことを防止できる。
【００３４】
管理者端末３００のディスプレイは、メッセージ入力画面を表示する。管理者は、メッセージ入力画面を介して作業者端末１００へ送信する注意事項や指示伝達事項の入力を受け付ける。
【００３５】
＜作業情報テーブル＞
図２は、本発明の一実施の形態における作業進捗管理システム２００の作業情報記憶部２６０に記憶されている作業情報テーブルの構成例の概要を示す図である。図２に示されるように作業情報テーブルは、[作業ＩＤ]、[作業名]、[データセンタ名]、[サーバルーム名]、[顧客名]、[作業区分]、[標準作業時間]、[開始予定日時]、[終了予定日時]などのデータ項目から構成される。
【００３６】
[作業ＩＤ]は、作業（チェックリスト）を識別するための符号を示す。[作業名]は、作業の名称を示す。[データセンタ名]は、データセンタの名称を示す。[サーバルーム名]は、サーバルームの名称を示す。[顧客名]は、顧客の名称を示す。[作業区分]は、作業が行われる間隔を示す。[標準作業時間]は、作業に要する標準的な時間を示す。[開始予定日時]は、作業が開始される予定日時を示す。[終了予定日時]は、作業が終了される予定日時を示す。
【００３７】
＜チェックリストテーブル＞
図３は、本発明の一実施の形態における作業進捗管理システム２００の作業情報記憶部２６０に記憶されているチェックリストテーブルの構成例の概要を示す図である。図３に示されるように、チェックリストテーブルは、[チェック項目ＩＤ]、[作業ＩＤ]、[チェック項目]、[標準作業時間]、[写真予定取得枚数]、[画像データ]などのデータ項目から構成される。
【００３８】
[チェック項目ＩＤ]は、チェック項目を識別するための符号を示す。[チェック項目]は、チェック項目と対応する機器チェック作業の内容を示す。[写真予定取得枚数]は、作業者により撮影される予定の写真の枚数を示す。[画像データ]は、機器チェック作業の手順などを説明する画像を表示するための画面データである。
【００３９】
＜作業結果テーブル＞
図４は、本発明の一実施の形態における作業進捗管理システム２００の作業結果記憶部２７０に記憶されている作業結果テーブルの構成例の概要を示す図である。図４に示されるように作業結果テーブルは、[作業結果ＩＤ]、[作業ＩＤ]、[作業名]、[ステータス]、[標準作業時間]、[作業時間]、[データセンタ名]（不図示）、[サーバルーム名]（不図示）、[顧客名]（不図示）、[開始予定日時]、[開始日時]、[終了予定日時]、[終了日時]、[作業者名]、[審査者名]、[承認者名]などのデータ項目から構成される。
【００４０】
[作業結果ＩＤ]は、作業結果を識別するための符号を示す。[ステータス]は、作業の進捗状況を示す。[作業時間]は、実際に作業に要した時間を示す。[開始日時]は、作業を開始した日時を示す。[終了日時]は、作業が終了した日時を示す。[作業者名]は、作業者の名称を示す。[審査者名]は、審査者の名称を示す。[承認者名]は、承認者の名称を示す。
【００４１】
＜チェック結果テーブル＞
図５は、本発明の一実施の形態における作業進捗管理システム２００の作業結果記憶部２７０に記憶されているチェック結果テーブルの構成例の概要を示す図である。図５に示されるようにチェック結果テーブルは、[チェック項目結果ＩＤ]、[作業結果ＩＤ]、[チェック項目]、[作業結果]、[標準作業時間]、[作業時間]、[写真予定取得枚数]、[写真取得枚数]、[画像データ]などのデータ項目から構成される。
【００４２】
[チェック項目結果ＩＤ]は、チェック項目をチェックした結果であるチェック項目結果を識別するための符号を示す。[作業結果]は、機器チェック作業の結果を示す。例えば、ＯＫは、チェック項目をチェックした結果が正常であることを示す。一方、ＮＧは、チェック項目をチェックした結果が異常であることを示す。[写真取得枚数]は、作業者により撮影された写真の枚数を示す。
【００４３】
＜メッセージテーブル＞
図６は、本発明の一実施の形態における作業進捗管理システム２００のメッセージ記憶部２８０に記憶されているメッセージテーブルの構成例の概要を示す図である。図６に示されるようにメッセージテーブルは、[メッセージＩＤ]、[データセンタ名]、[サーバルーム名]、[顧客名]、[作業ＩＤ]、[チェック項目ＩＤ]、[受信者名]、[送信者名]、[送信日時]、[メッセージ]などのデータ項目から構成される。
【００４４】
[メッセージＩＤ]は、メッセージを識別するための符号を示す。[受信者名]は、メッセージを受信した者の名称を示す。[送信者名]は、メッセージを送信した者の名称を示す。[送信日時]は、メッセージを送信した日時を示す。[メッセージ]は、機器チェック作業を行う上での注意事項などの管理者によりフィードバックされたメッセージの内容を示す。
【００４５】
＜チェック画面＞
図７は、本発明の一実施の形態における作業者端末１００のディスプレイに表示されるチェック画面の概要を示す図である。図７に示されるように、チェック画面には、作業名７０１と、データセンタ名７０２と、サーバルーム名７０３と、作業者名７０４と、標準作業時間７０５と、チェック項目と対応する機器チェック作業の内容７０６と、機器チェック作業の手順などを説明する画像７０７と、メッセージ表示欄７０８と、ＯＫボタン７１２と、ＮＧボタン７１３、撮像ボタン７１４とが表示される。
【００４６】
チェック画面には、標準作業時間７０５とともに、作業開始から現在までに経過した時間が表示される。これによって、作業者は、作業に要する標準的な時間を意識しながら効率的に機器チェック作業を行える。
【００４７】
また、チェック画面には、チェック項目と対応する機器チェック作業の内容７０６とともに機器チェック作業の手順などを説明する画像７０７が表示される。これによって、作業者は、容易に機器チェック作業の内容を把握できる。
【００４８】
さらに、チェック画面のメッセージ表示欄７０８には、受信者名７０９と、送信者名７１０と、管理者によりフィードバックされた機器チェック作業を行う上での注意事項であるメッセージ７１１とが表示される。
【００４９】
ＯＫボタン７１２が押下されることで作業者端末１００は、チェック項目をチェックした結果が正常であることを示す情報の入力を受け付ける。
【００５０】
ＮＧボタン７１３が押下されることで作業者端末１００は、チェック項目をチェックした結果が異常であることを示す情報の入力を受け付ける。
【００５１】
撮像ボタン７１４が押下された場合、作業者端末１００のディスプレイは、被写体を観察するときの画面であるイメージ画面を表示する。その後、シャッターボタン（不図示）が押下されることで作業者端末１００は、被写体の画像データを取得する。
【００５２】
＜作業進捗確認画面＞
図８は、本発明の一実施の形態における管理者端末３００のディスプレイに表示される作業進捗確認画面の概要を示す図である。図８に示されるように、作業進捗確認画面には、作業名と、ステータスと、標準作業時間と、作業時間と、開始予定日時と、開始日時と、終了予定日時と、終了日時と、作業者名と、審査者名と、承認者名とが対応付けて一覧で表示される。
【００５３】
作業進捗確認画面には、開始予定日時を経過しても開始していない作業に関する情報（作業名と、ステータスと、標準作業時間と、作業時間と、開始予定日時と、開始日時と、終了予定日時と、終了日時など）と他の作業（開始予定日時になっていない作業や、作業が開始されている作業など）に関する情報とが判別可能な態様で表示される。例えば、ディスプレイは、開始予定日時を経過しても開始していない作業に関する情報が表示される背景の色を、他の作業に関する情報と異なる色で表示する。これによって、管理者は、開始予定日時を経過していない作業を判別できる。
【００５４】
また、ディスプレイは、標準作業時間と所定時間（例えば、５分）以上、隔たりがある作業時間と、標準作業時間と所定時間以上隔たりがない作業時間および標準作業時間とを判別可能な態様で表示する。例えば、ディスプレイは、標準作業時間よりも所定時間以上長い作業時間および標準作業時間よりも所定時間以上短い作業時間が表示される背景の色を、標準作業時間と所定時間以上隔たりがない作業時間（他の作業時間）および標準作業時間の背景の色と異なる色で表示する。これによって、機器チェック作業に要した時間が適切かを判断可能になる。
【００５５】
審査ボタン８０１は、ステータスが、作業完了になっているレコードの審査者名が表示される領域に表示される。
【００５６】
承認ボタン８０２は、ステータスが、作業完了または審査完了になっているレコードの承認者名が表示される領域に表示される。
【００５７】
審査ボタン８０１または承認ボタン８０２が選択されると、管理者端末３００のディスプレイは、作業審査画面（後述、図９）を表示する。
【００５８】
＜作業審査画面＞
図９は、本発明の一実施の形態における管理者端末３００のディスプレイに表示される作業審査画面の概要を示す図である。図９に示されるように、作業審査画面には、作業者名９０１と、審査者名または承認者名９０２と、作業名９０３と、データセンタ名９０４と、サーバルーム名９０５と、顧客名９０６と、時間情報表示欄９０７と、チェック結果表示欄９０８と、チェック結果表示欄９０９と、メッセージ入力欄９１０と、承認ボタン９１１と、却下ボタン９１２とが表示される。
【００５９】
時間情報表示欄９０７には、作業に要する標準的な時間である標準作業時間と、実際に作業に要した時間である作業時間と、標準作業時間と作業時間との差異とが表示される。また、時間情報表示欄９０７には、作業が開始される予定日時である開始予定日時と、作業を開始した日時である開始日時と、開始予定日時と開始日時との差異とが表示される。また、時間情報表示欄９０７には、作業が終了される予定日時である終了予定日時と、作業が終了した日時である終了日時と、終了予定日時と終了日時との差異とが表示される。
【００６０】
チェック結果表示欄９０８には、結果が正常であることが確認されたチェック項目の数と、結果が異常であることが確認されたチェック項目の数とが表示される。
【００６１】
チェック結果表示欄９０９には、チェック項目結果ＩＤ（図中、ＩＤ）と、チェック項目と、作業結果と、標準作業時間と、作業時間と、作業者により写真が撮影されたか否かを示す情報とが対応付けられて一覧で表示される。
【００６２】
メッセージ入力欄９１０には、機器チェック作業を行う上での注意事項などの管理者によりフィードバックされたメッセージが入力される。
【００６３】
承認ボタン９１１が選択されると、作業の承認がされる。一方、却下ボタン９１２が選択されると、作業が却下される。
【００６４】
＜メッセージ入力画面＞
図１０は、本発明の一実施の形態における管理者端末３００のディスプレイに表示されるメッセージ入力画面の概要を示す図である。図１０に示されるように、メッセージ入力画面には、送信者名１００１と、データセンタ名１００２と、サーバルーム名１００３と、顧客名１００４と、作業者名１００５と、メッセージ入力欄１００６と、登録ボタン１００７とが表示される。
【００６５】
管理者端末３００は、管理者からメッセージの入力を受け付ける。そして、メッセージ入力欄１００６には、管理者から入力を受け付けたメッセージが表示される。
【００６６】
登録ボタン１００７が選択されると、メッセージ入力欄１００６に表示されているメッセージが、作業者名１００５から特定される作業者端末１００へ送信される。そして、送信されたメッセージは、チェック画面（前述、図７）を介して作業者端末１００のディスプレイに表示される。これによって、管理者端末３００から作業者端末１００に対して随時、注意事項や指示伝達事項などのメッセージを送信できる。
【００６７】
なお、登録ボタン１００７が選択されると、メッセージ入力欄１００６に表示されているメッセージが、データセンタ名から特定されるデータセンタ内のすべての作業者端末１００へ送信されるようにしても良い。また、登録ボタン１００７が選択されると、メッセージ入力欄１００６に表示されているメッセージが、サーバルーム名から特定されるサーバルームのすべての作業者の作業者端末１００へ送信されるようにしても良い。これによって、作業者単位だけでなく、データセンタやサーバルーム単位での注意事項や指示伝達事項などのメッセージを送信できる。
【００６８】
＜作業結果記憶処理＞
図１１は、本発明の一実施の形態における作業結果記憶処理の概要を示す図である。
【００６９】
まず、Ｓ１１０１にて、作業者端末１００は、作業名および機器チェック作業の作業者名の入力を受け付ける。
【００７０】
次に、Ｓ１１０２にて、作業者端末１００は、Ｓ１１０１にて入力を受け付けた作業名と、作業者名とを作業進捗管理システム２００へ送信する。
【００７１】
次に、Ｓ１１０３にて、作業進捗管理システム２００は、Ｓ１１０２にて送信された作業名と作業者名とを受信する。そして、作業進捗管理システム２００の作業情報表示部２１０は、Ｓ１１０２にて送信された作業名をキーに、作業情報記憶部２６０の作業情報テーブル（前述、図２）を検索し、対応する作業ＩＤと、データセンタ名と、サーバルーム名と、顧客名と、標準作業時間と、開始予定日時と、終了予定時間とからなる作業情報を取得する。
【００７２】
次に、Ｓ１１０４にて、作業情報表示部２１０は、Ｓ１１０３にて取得した作業ＩＤをキーに、作業情報記憶部２６０のチェックリストテーブル（前述、図３）を検索し、対応するチェック項目ＩＤと、チェック項目と、標準作業時間と、写真予定取得枚数と、画像データとからなるチェック情報をすべて取得する。
【００７３】
次に、Ｓ１１０５にて、作業情報表示部２１０は、Ｓ１１０３にて取得した作業ＩＤをキーに、メッセージ記憶部２８０を検索し、対応する作業者名と、送信者名と、送信日時と、メッセージとからなるメッセージ情報を取得する。
【００７４】
次に、Ｓ１１０６にて、作業情報表示部２１０は、Ｓ１１０１にて入力を受け付けた作業名と、作業者名と、Ｓ１１０３にて取得したデータセンタ名と、サーバルーム名と、Ｓ１１０４にて取得したチェック項目と、画像データに基づく画像と、Ｓ１１０５にて取得した作業者名と、送信者名と、送信日時と、メッセージとに基づく画面データを作業者端末１００に送信する。そして、Ｓ１１０７にて、作業者端末１００は、送信された画面データに基づくチェック画面（前述、図７）を作業者端末１００のディスプレイに表示する。Ｓ１１０６とＳ１１０７の処理によって、作業情報表示部２１０は、チェック画面を作業者端末１００のディスプレイに表示させる。なお、作業情報表示部２１０は、チェックリストにおける先頭のチェック項目を含むチェック画面を作業者端末１００のディスプレイに表示させる。また、作業者端末１００は、チェック画面をディスプレイに表示した日時を開始日時として保持する。
【００７５】
次に、Ｓ１１０８にて、作業者端末１００は、ＯＫボタン７１２、ＮＧボタン７１３のいずれかのボタンを選択する入力を受け付ける。そして、作業端末１００は、Ｓ１１０７にて保持した開始日時からボタンを選択する入力を受け付けた日時までの時間を作業時間として算出する。
【００７６】
次に、Ｓ１１０９にて、作業者端末１００は、チェック項目と、作業結果（Ｓ１１０８にてどのボタン（ＯＫボタン７１２、ＮＧボタン７１３）が入力を受け付けたのかを示す情報）と、標準作業時間と、Ｓ１１０８にて算出した作業時間とを作業結果情報として作業進捗管理システム２００へ送信する。
【００７７】
次に、Ｓ１１１０にて、作業進捗管理システム２００は、Ｓ１１０９にて送信された作業結果情報を受信する。そして、作業進捗管理システム２００の作業結果登録部２２０は、受信した作業結果情報にチェック項目結果ＩＤと作業結果ＩＤとを割り振り、チェック項目結果ＩＤと作業結果ＩＤと作業結果情報とを対応付けて作業結果記憶部２７０に記憶する。これによって、チェック結果テーブル（前述、図５）に新たなレコードが追加される。
【００７８】
次に、Ｓ１１１１にて、作業者端末１００は、チェックリストに含まれるすべてのチェック項目について、Ｓ１１０７にてＯＫボタン７１２、ＮＧボタン７１３いずれかのボタンが入力を受け付けたかを判定する。これによって、作業者端末１００は、すべてのチェック項目について作業したかを判定する。作業者端末１００が、すべてのチェック項目について作業が完了したと判定する場合（Ｓ１１１１−Ｙｅｓ）、Ｓ１１１３へ進む。一方、作業者端末１００が、すべてのチェック項目について入力を受け付けていないと判定する場合（Ｓ１１１１−Ｎｏ）、Ｓ１１１２へ進む。
【００７９】
次に、Ｓ１１１２にて、作業者端末１００は、チェックリストに含まれる、未だ機器チェック作業が完了していないチェック項目を含むチェック画面を作業者端末１００のディスプレイに表示させる。なお、作業者端末１００は、前回表示されていたチェック項目の次に表示されるチェック項目を含むチェック画面を作業者端末１００のディスプレイに表示させる。Ｓ１１１２の次は、Ｓ１１０８へ戻る。
【００８０】
Ｓ１１１１にてＹｅｓだった場合、Ｓ１１１３にて、作業者端末１００は、Ｓ１００８にて最後にボタン（ＯＫボタン７１２、ＮＧボタン７１３）が入力を受け付けた日時を終了日時として保持する。
【００８１】
次に、Ｓ１１１４にて、作業者端末１００は、Ｓ１１０７にて保持した開始日時からＳ１１１３にて保持した終了日時までの時間を作業時間として算出する。
【００８２】
次に、Ｓ１１１５にて、作業者端末は、Ｓ１１０１にて入力を受け付けた作業名と、作業者名と、Ｓ１１０３にて取得した作業ＩＤと、標準作業時間と、開始予定日時と、終了予定日時と、Ｓ１１０７にて保持した開始日時と、Ｓ１１１３にて保持した終了日時と、Ｓ１１１４にて算出した作業時間とを、作業進捗管理システム２００へ送信する。
【００８３】
次に、Ｓ１１１６にて、作業進捗管理システム２００の標準作業時間算出部２３０は、Ｓ１１１５にて送信された作業時間と、標準作業時間とに基づき、更新後の標準作業時間を算出する。
【００８４】
次に、Ｓ１１１７にて、作業進捗管理システム２００は、作業結果ＩＤと、作業完了であることを示すステータスと、Ｓ１１１５にて送信された作業ＩＤと、作業名と、作業時間と、開始予定日時と、開始日時と、終了予定日時と、終了日時と、作業者名と、Ｓ１１１６にて算出された更新後の標準作業時間とを対応付けて作業結果記憶部２７０に記憶する。これによって、作業結果テーブル（前述、図４）に新たなレコードが追加される。
【００８５】
＜フィードバックメッセージ記憶処理＞
図１２は、本発明の一実施の形態におけるフィードバックメッセージ記憶処理の概要を示す図である。
【００８６】
まず、Ｓ１２０１にて、管理者端末３００は、作業進捗管理システム２００に作業進捗確認画面データを要求する。
【００８７】
次に、Ｓ１２０２にて、作業進捗管理システム２００の作業進捗表示部２４０は、作業結果記憶部２７０に記憶されている作業結果テーブル（前述、図４）から、作業名と、ステータスと、標準作業時間と、作業時間と、開始予定日時と、開始日時と、終了予定日時と、終了日時と、作業者名と、審査者名と、承認者名とを取得する。
【００８８】
次に、Ｓ１２０３にて、作業進捗管理システム２００の作業進捗表示部２４０は、Ｓ１２０２にて取得した、作業名と、ステータスと、標準作業時間と、作業時間と、開始予定日時と、開始日時と、終了予定日時と、終了日時と、作業者名と、審査者名と、承認者名とに基づき、作業進捗確認画面（前述、図８）を表示するための作業進捗確認画面データを生成する。
【００８９】
次に、Ｓ１２０４にて、作業進捗管理システム２００は、Ｓ１２０３にて生成された作業進捗確認画面データを管理者端末３００へ送信する。
【００９０】
次に、Ｓ１２０５にて、管理者端末３００は、Ｓ１２０４にて送信された作業進捗確認画面データに基づき、作業進捗確認画面をディスプレイに表示する。
【００９１】
次に、Ｓ１２０６にて、作業進捗確認画面を介して審査ボタン８０１または承認ボタン８０２が選択される。
【００９２】
次に、Ｓ１２０７にて、管理者端末３００は、作業進捗管理システム２００に作業審査画面データを要求する。
【００９３】
次に、Ｓ１２０８にて、作業進捗管理システム２００の作業進捗表示部２４０は、作業結果記憶部２７０に記憶されている作業結果テーブル（前述、図４）から、作業者名と、審査者名または承認者名と、作業名と、データセンタ名と、サーバルーム名と、顧客名と、標準作業時間と、作業時間と、開始予定日時と、開始日時と、終了予定日時と、終了日時とからなる作業結果情報を取得する。なお、作業進捗表示部２４０は、Ｓ１２０６にて審査ボタン８０１が選択された場合にＳ１２０８にて審査者名を取得し、Ｓ１２０６にて承認ボタン８０２が選択された場合にＳ１２０８にて承認者名を取得する。
【００９４】
次に、Ｓ１２０９にて、作業進捗表示部２４０は、作業結果記憶部２７０に記憶されているチェック結果テーブル（前述、図５）から、チェック項目結果ＩＤと、チェック項目と、作業結果と、標準作業時間と、作業時間と、写真取得枚数とからなるチェック結果情報を取得する。
【００９５】
次に、Ｓ１２１０にて、作業進捗表示部２４０は、Ｓ１２０８にて取得した作業者名と、審査者名または承認者名と、作業名と、データセンタ名と、サーバルーム名と、顧客名と、標準作業時間と、作業時間と、開始予定日時と、開始日時と、終了予定日時と、終了日時と、Ｓ１２０９にて取得したチェック項目結果ＩＤと、チェック項目と、作業結果と、標準作業時間と、作業時間と、写真取得枚数とに基づき、作業審査画面（前述、図９）を表示するための作業審査画面データを生成する。
【００９６】
次に、Ｓ１２１１にて、作業進捗管理システム２００は、Ｓ１２１０にて生成された作業審査画面データを管理者端末３００へ送信する。
【００９７】
次に、Ｓ１２１２にて、管理者端末３００は、Ｓ１２１１にて送信された作業審査画面データに基づき、作業審査画面をディスプレイに表示する。
【００９８】
次に、Ｓ１２１３にて、管理者端末３００は、メッセージ入力欄９１０へのメッセージの入力を受け付け、さらに、承認ボタン９１１または却下ボタン９１２を選択する入力を受け付ける。
【００９９】
次に、Ｓ１２１４にて、管理者端末３００は、メッセージ入力欄９１０に入力されたメッセージにメッセージＩＤを割り振る。そして、管理者端末３００は、メッセージＩＤと、データセンタ名と、サーバルーム名と、顧客名と、作業ＩＤと、チェック項目ＩＤと、作業者名と、送信者名（審査者名または承認者名）と、受信者名と、送信日時と、メッセージとを対応付けて作業進捗管理システム２００へ送信する。
【０１００】
次に、Ｓ１２１５にて、作業進捗管理システム２００のメッセージ生成部２５０は、Ｓ１２１４にて送信されたメッセージＩＤと、データセンタ名と、サーバルーム名と、顧客名と、作業ＩＤと、チェック項目ＩＤと、作業者名と、送信者名（審査者名または承認者名）と、受信者名と、送信日時と、メッセージとを対応付けてメッセージ記憶部２８０に記憶する。
【０１０１】
＜本実施の形態の効果＞
以上説明した本実施の形態における機器チェック支援システム１０によれば、作業進捗表示部２４０が、作業された時間である作業時間と、作業に要する標準的な時間である標準作業時間とを含む作業進捗確認画面を管理者端末３００のディスプレイに表示させることで、機器チェック作業に要した時間が適切かを判断できる。また、管理者は、作業が効率的に行われているか、作業がしっかりと行われているかを確認できる。
【０１０２】
また、作業進捗表示部２４０が、標準作業時間よりも所定時間以上長い作業時間または標準作業時間よりも所定時間以上短い作業時間と、標準作業時間とを判別可能な態様で管理者端末３００のディスプレイに表示させることで、長過ぎるまたは短か過ぎるなど不適切な作業時間を一目で判断できる。
【０１０３】
また、作業進捗表示部２４０が、作業が開始される予定日時である開始予定日時を経過しても開始していない作業の作業名と、作業の進捗状態を示すステータスと、標準作業時間と、開始予定日時と、作業が終了する予定日時である終了予定日時と、作業者名との少なくとも一つ以上の表示態様を変化させてディスプレイに表示させることで、開始予定日時を経過しても開始していない作業を一目で判断できる。
【０１０４】
また、標準作業時間算出部２３０が、作業時間に基づいて、更新後の標準作業時間を算出することで、実態に即した標準作業時間を算出できる。
【０１０５】
また、作業情報表示部２１０が、作業を構成するチェック項目をチェックした結果が正常か否かを示す情報の入力を受け付けるチェック画面を作業者端末１００のディスプレイに表示させることで、紙面であるチェックシートを見なくても機器チェック作業が可能になり、作業性が向上する。
【０１０６】
また、作業進捗表示部２４０が、チェックされた結果が正常であることが確認されたチェック項目の数と、チェックされた結果が異常であることが確認されたチェック項目の数とを含む作業審査画面を管理者端末３００のディスプレイに表示させることで、管理者は、機器チェック作業の結果を一目で把握できる。
【０１０７】
また、作業情報表示部２１０が、管理者からフィードバックされたメッセージ７１１を含むチェック画面をディスプレイに表示させることで、作業者が、フィードバックされている内容と同様の作業ミスを繰り返すことを防止できる。
【０１０８】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、作業者端末１００は、タブレット端末以外にも、スマートフォン等の様々な形態の携帯端末を全て含むものである。
【符号の説明】
【０１０９】
１０…機器チェック支援システム、
１００…作業者端末、
２００…作業進捗管理システム、２１０…作業情報表示部、２２０…作業結果登録部、２３０…標準作業時間算出部、２４０…作業進捗表示部、２５０…メッセージ生成部、２６０…作業情報記憶部、２７０…作業結果記憶部、２８０…メッセージ記憶部、
３００…管理者端末。
【図１】
2016212729.tif 000003
【図２】
2016212729.tif 000004
【図３】
2016212729.tif 000005
【図４】
2016212729.tif 000006
【図５】
2016212729.tif 000007
【図６】
2016212729.tif 000008
【図８】
2016212729.tif 000009
【図９】
2016212729.tif 000010
【図１０】
2016212729.tif 000011
【図１１】
2016212729.tif 000012
【図１２】
2016212729.tif 000013
【図７】
2016212729.tif 000014